(57)【特許請求の範囲】
【請求項１】
表示装置とこの表示装置が取り付けられる支持部材との取付構造であって、
前記表示装置は、装置本体から表示部を出現させることにより表示動作を行い、
前記表示部は、帯状形態をなして下端部側には重りが設けられ、非表示時には前記装置本体に収納され、表示時には前記装置本体より下方向に垂下されて表示動作を行い、
前記表示装置は、垂下された表示部を磁気的吸引力によって前記支持部材に拘束して表示状態を保持する表示部拘束手段を備え、
前記下端部側に重りが設けられた前記表示部は、垂下されたときに風によって揺動されて振り子の役目をして、前記支持部材に接触する機会が生じ、前記支持部材に磁気的に吸引される、ことを特徴とする表示装置と支持部材との取付構造。
【請求項２】
請求項１に記載の表示装置と支持部材との取付構造において、
前記表示部の重りとこの重りを吸引する支持部材とは、「磁石−磁性材料」または「磁石−磁石」の関係から構成される、ことを特徴とする表示装置と支持部材との取付構造。
【発明の詳細な説明】
【０００１】
【発明の属する技術分野】
本発明は、事故・故障・落雷・状態変化などを視覚的表示によって点検者らに知らせるための表示装置にかかり、より詳細には、表示装置の表示部をより見やすくして表示するための技術に関するものである。
【０００２】
【従来の技術】
電気や電力の関連設備や建造物などにおいては、事故・故障・落雷などに起因して何らかの状況変化があったことを表示するため、各種の表示装置が配備されている。ここで従来の表示装置の一例として、電力送配電設備に配備されている落雷表示装置を取り上げて説明することとする。
この落雷表示装置は、落雷を受けて閃絡を生じた箇所を特定するための表示装置であって、送電鉄塔や配電柱などによく取り付けられている。この落雷表示装置は、落雷があったときにはそれを感知(検出)して表示する手段を装置に内蔵しており、例えば、装置本体から視覚的に目に付く表示物を出現させたりして、落雷表示を行うことができる構造を有する。点検者らはこれら表示物を目視によって確認し、落雷があったことを知ってそれに対処することができる。
【０００３】
このような落雷表示装置において、落雷を感知(検出)したのち、このことを表示する手段としては、人目をひく表示物を突出させたり垂下させたりして表示物出現表示を行う方式が、構造が簡明であり性能的にも安定しているため、広く普及している。
図３は、落雷表示装置Ａが取付けられている構造を示し、落雷表示装置Ａが落雷を感知したとき、表示部２０が装置本体１０の中から出現して来て、落雷表示動作を行っている様子を示す概要図である。落雷表示装置Ａの装置本体１０は、支持部材３０に取付け固定がなされて配備されているが、その取付けは、装置本体１０の外側から延伸する腕部１１と支持部材３０とを同体にして、別体の取付けベルト４０をその両方に巻き付けることにより、行われる。
【０００４】
図３に示す落雷表示装置Ａの装置本体１０の内部には、図示してはいないが、雷サージ電流または電圧を感知して検出するためのサーチコイル、表示部の駆動機構や回路などが内蔵されている。また、ここでの表示部２０は、落雷が感知されると突出または垂下して出現されてくる帯状構造の表示体であり、普段は巻き取られるか折り畳まれて装置本体１０内に収容され隠されている。よって、表示部２０の材質には、布生地などのような柔軟性または可撓性のある材料が用いられるとよい。また、この表示部２０は、装置本体１０から突出または垂下により現れ出てきたときには、点検者らによく目に付くような色彩であることが望ましく、例えば赤色やピンク色などが用いられる。
図３の落雷表示装置Ａの表示部２０は、その一例として、表示時に鉛直方向に出現させる構成を備えており、自重によって垂下される表示部２０を、撓んだり歪んだりさせることなく、ピンと張った状態で見やすくして表示させるために、表示部２０の下方端には重り体２１が設けられている。
【０００５】
【発明が解決しようとする課題】
しかしながら、このような落雷表示装置に代表される従来の表示装置が採用している、表示布などによる表示部２０を出現させるタイプの表示方式においては、次のような問題点があった。すなわち、この種の表示装置は、送電鉄塔や電柱などのように、野外にある電力設備に設置されることが多く、環境や気象などによる周囲の影響を受け易くなっている。具体的には、風の影響が大きいと、表示部２０(表示布)の揺動や舞い上がりにより、鉄塔の塔脚などの支持物の側に表示部２０が絡んだり巻き付いたりすることになるので、点検者らは表示が見づらい状態となり、表示動作の判定を誤ることもある。また、表示部２０自体が損傷を起こし易くなり、装置リセット後の繰り返し使用ができなくなるという心配も生じてくる。
【０００６】
本発明による表示装置およびその取付構造は、上記の問題点に鑑みなされたものであり、表示装置から突出または垂下によって出現されて表示される表示部の、点検者らによる確認作業をより容易にするとともに、表示部自体の損傷をも防止できる表示装置の技術を提供する、ことを目的とする。
【０００７】
【課題を解決するための手段】
以上のような目的を達成するために、本発明による表示装置およびその取付構造は、次のような手段を用いた。
（１）装置本体から表示部を出現させることにより表示動作を行う表示装置において、
この表示装置は、表示部を他の部材または部位に拘束して表示状態を保持する表示部拘束手段を備えて構成される表示装置とした。
（２）(１)の表示装置において、
前記表示部拘束手段は、磁気的吸引力によって表示部を拘束する。
（３）(１)または(２)の表示装置において、
前記表示部は帯状形態をなし、非表示時には前記装置本体に収納されていて、表示時には前記装置本体より下方向に垂下されて表示動作を行い、表示部(好ましくは下端部側)に磁性材料からなる表示部側拘束部が設けられて構成される。
【０００８】
（４）装置本体から表示部を出現させることにより表示を行う表示装置が、所定位置に取り付けられる、表示装置の取付構造において、
この取付構造は、表示装置の表示部と他の部材または部位とを拘束して表示状態を保持する表示部拘束手段を備えて構成される、表示装置の取付構造とした。（５）(４)の表示装置の取付構造において、
前記表示装置の表示部と他の部材または部位とは磁気的吸引力によって拘束される。
【０００９】
【発明の実施の形態】
以下、図１と図２を参照して、本発明による表示装置とその取付構造の実施の形態を詳細に説明する。まず図１は、本発明による表示装置Ａとその取付構造を示す概観図であり、装置本体１０から出現させられた表示部２０は下端側にある表示部側拘束部２２と支持部材３０との間で、表示部を拘束する関係が形成されている図である。そして次の図２は、同じく本発明による表示装置Ａとその取付構造であるが、別の例を示していて、装置本体１０から出現させられた表示部２０の下端側にある表示部側拘束部２３と、支持部材３０上の支持部材側拘束部３１との間で、表示部を拘束する関係が形成されている。
【００１０】
図１を参照するに、装置本体１０から表示部２０を出現させることにより表示動作を行う表示装置Ａにおいて、この表示装置Ａは、表示部２０を、他の部材または部位(ここでは支持部材３０)に拘束して、表示状態を保持する表示部拘束手段を備えて構成される。ここで、表示部を拘束する手段としては種々考えられるが、例えば、粘着性物質を用いて付着させる、マジックテープ（登録商標）等による機械的係合を利用する、磁石や磁性材料による磁力を利用する、などの手段がある。
またここでは、装置本体１０から出現させられた表示部２０が、風などの周囲の影響で揺れ動くことにより、他の部材または部位に接触して、自然に表示部２０が拘束されるという状況を想定している。
【００１１】
表示部２０としては、装置本体内１０に収納するという見地から、柔軟性または可撓性のある布製かそれに類するような材料からなることが望ましいが、プラスチック製や板状の表示部２０でも、装置本体内１０に収納できるものであるなら、採用することが可能である。また、装置本体１０から出現させるにあたって、表示部２０が布製であるなら鉛直方向に垂下させることとなるが、比較的堅くて形状がある程度しっかりしている表示部については、下方向に垂下させるのみならず、横方向や上方向にも突出させて出現させる構造とすることができる。
【００１２】
さて、図１の表示装置Ａは支持部材３０に取り付けられており、表示時には装置本体１０から表示部２０を出現させる。出現させられた表示部２０は、無風状態なら当然下方向に垂れ下がることとなるが、通常は、風などの影響によって多かれ少なかれ揺り動かされていて、他の部材または部位に接触する機会が生じることとなる。このような表示部は、本願発明のように表示部を拘束する手段を備えさせることにより、適正な表示状態を保持することが可能となる。
【００１３】
適用可能ないくつかの表示部拘束手段に関しては先に述べたが、なかでも実用的な手段は、磁気的吸引力を利用することによって、表示部を拘束する手段である。表示部２０が揺動されることによって最も接触しやすいのは、表示部を取り付ける支持部材３０であるが、電力設備としての支持部材３０は、一般的には送配電鉄塔であって、それらは鉄材料からなっている。そこで、表示部２０に磁石材料を導入して配置することとすれば、それが支持部材３０に接触したとき鉄材料に磁気的に吸引される状態となって、表示部２０が支持部材３０に拘束されることとなる。
【００１４】
図３で示したように、表示部２０の下端部側に一般的には重り(重り体２１)が設けられているものであって、図１ではそこを表示部側拘束部２２として、磁石を配置した構造である。この表示部側拘束部２２は、表示部２０の下端部に限られず、いずれの場所に配置することも可能ではあるが、とりわけ表示部２０の下端部側に、ある程度の重さのある磁石材料を設置することにより、重り(重錘)として表示部を安定して表示させることができ、また、風によって揺動された時には振り子のような役目を果たし、支持部材３０の鉄材料の近傍に来たとき、吸引され易い構造となっている。
【００１５】
さて次に図２を参照するに、この図は本発明による表示装置Ａとその取付構造の別の例を示す概観図であり、支持部材３０の側に支持部材拘束部３１を設けたものである。ここでは、表示部２０にある表示部側拘束部２３と、支持部材３０上にある支持部材側拘束部３１との間で、互いを拘束する関係が形成されている。なお、図２での表示部２０はやや撓んだ状態にして拘束されており、図１での表示部２０のピンと張った状態とは異なるが、表示部２０が拘束される状態は種々様々なケースがあり、それぞれはその一例として示したものである。
【００１６】
図２では支持部材３０の側に支持部材拘束部３１を配設したが、表示部拘束手段として磁力(磁気)による吸引(引きつけ)を利用する場合では、支持部材側拘束部３１を磁石として表示部側拘束部２３を鉄などの磁気吸引材料(磁石)とすることもできるし、表示部側拘束部２３と支持部材側拘束部３１との両方を磁石として構成してもよい。そして、支持部材側拘束部３１は表示装置Ａとは別個の部材となるので、より見やすいように、拘束関係を良好にするため、支持部材側拘束部３１に用いる鉄製部材については、表示部側拘束部２３との組合せで、その形状・配置位置・材料など関して、様々な幅広い設計が可能となる。
一方、支持部材３０側の材質が、もともと鉄材などのような磁気吸引材料からできていない場合では、別個の部材である支持部材側拘束部３１の適用はとりわけ有効である。
また、表示部拘束手段として粘着性物質を用いる場合では、表示部側拘束部２３と支持部材側拘束部３１とのいずれかまたはその両方に、粘着性物質を配置してもよい。さらに、表示部拘束手段としてマジックテープ（登録商標）等による機械的係合を利用する場合でも、表示部側拘束部２３と支持部材側拘束部３１との拘束関係を種々設計して設定することができる。
【００１７】
【発明の効果】
このように本発明による表示装置およびその取付構造は、次に述べるような優れた効果を発揮する。すなわち本発明では、表示装置から突出や垂下などによって出現されて表示される表示部について、表示時以降の動作を安定化・制限化させるために表示部拘束手段を採用したことによって、点検者らによる確認作業をきわめて容易に実行できるとともに、表示部自体の損傷をも防止でき、また、この表示部拘束手段には磁石利用などによる種々な拘束技術が適用可能であって、表示機能が優れた表示装置を、簡明な構造でローコストで提供できる。
【図面の簡単な説明】
【図１】本発明による表示装置Ａとその取付構造を示す概観図であり、装置本体１０から出現させられた表示部２０は下端側にある表示部側拘束部２２と支持部材３０との間で、表示部の拘束関係が形成されている。
【図２】本発明による表示装置Ａとその取付構造のまた別の例を示す概観図であり、装置本体１０から出現させられた表示部２０の下端側にある表示部側拘束部２１と、支持部材３０の支持部材側拘束部３１との間で、表示部の拘束関係が形成されている。
【図３】表示装置Ａとその取付構造を示す概観図であり、表示部２０が装置本体１０から出現して来て垂下された状況を示す。
【符号の説明】
Ａ      表示装置
１０    装置本体
１１    取付腕部
２０    表示部
２１    重り体
２２、２３    表示部側拘束部
３０    支持部材
３１    支持部側拘束部
４０    取付けベルト
【図１】
0004118075.tif 000002
【図２】
0004118075.tif 000003
【図３】
0004118075.tif 000004